(57)【特許請求の範囲】
【請求項１】
走行するチェーンを接触摺動させるガイド面と金属製ガイドベースに当接させるガイド裏面とを備えた樹脂製シューが前記金属製ガイドベースに嵌着固定されている伝動装置用摺接ガイドにおいて、
前記樹脂製シューの長手方向に沿って伸びる左右一対の第１リブと該左右一対の第１リブの間に相互に交差して斜め格子状に形成された複数の第２リブとが、前記樹脂製シューのガイド裏面にそれぞれ一体成型されているとともに、
前記第１リブのリブ幅が、前記第２リブのリブ幅よりも大きくなっていることを特徴とする伝動装置用摺接ガイド。
【請求項２】
前記金属製ガイドベースのベース中央穴部に係合して前記樹脂製シューの横方向の動きを規制するシュー側円柱リブが、前記第２リブの交差部の１つに突出形成されていることを特徴とする請求項１記載の伝動装置用摺接ガイド。
【発明の詳細な説明】
【技術分野】
【０００１】
本発明は、駆動側スプロケット、従動側スプロケット及びこれらスプロケットに捲回されて循環走行するチェーンにより、駆動側から従動側へ動力を伝達する伝動装置に用いられる摺接ガイドに関するものである。
【背景技術】
【０００２】
一般に、自動車用エンジンには、図１に示すようにチェーンＣＨにより動力を伝達する伝動装置が備えられている。
この伝動装置には、テンショナＴと協動して、循環走行するチェーンＣＨに摺接して適切な張力を付与するとともに、走行中のチェーンＣＨの振動、横振れを防止するため、滑り機能を備えた可動ガイドＧａ及び循環走行するチェーンＣＨの走行軌跡をガイド規制する固定ガイドＧｂからなる摺接ガイドが用いられている。
これらの摺接ガイドは、エンジンの躯体に取付ボルト、取付ピン等により取り付けられている（例えば、特許文献１参照）。
【０００３】
このような伝動装置用摺接ガイドのうち固定ガイドは、通常、図２に示すように金属製ガイドベース１５０に樹脂製シュー１００が嵌着固定されており、樹脂製シュー１００は、走行するチェーンが接触摺動するガイド面１１０と金属ガイドベース１５０に当接するガイド裏面１２０とを有している。
そして、ガイド裏面１２０には、樹脂製シューの軽量化と強度確保を目的として、図４に示すようにガイド裏面１２０の中央を長手方向に走るリブ１４０と、そのリブ１４０に直交する複数のリブ１４２を設けていた。
【特許文献１】特許第３１６２６４６号公報
【発明の開示】
【発明が解決しようとする課題】
【０００４】
ところが、上述したような従来の伝動装置用摺接ガイドに用いられていた樹脂製シューは、成型時にチェーン走行面中心部の熱が抜けにくく、成型後の熱収縮時における、いわゆる、ヒケやそりという変形が発生しやすく、また、完成品の寸法バラツキが大きくなるという問題が指摘されていた。
【０００５】
そこで、本発明は、前述したような従来の伝動装置用摺接ガイドの問題点を解消するものであって、すなわち、本発明の目的は、金属製ガイドベースに嵌着固定される樹脂製シューの重量を増すことなく、樹脂製シューの強度の向上を図り、樹脂製シューの成型時にヒケと反りが発生しにくく、完成品として寸法バラツキの少ない伝動装置用摺接ガイドを提供することである。
【課題を解決するための手段】
【０００６】
本請求項１に係る発明は、走行するチェーンを接触摺動させるガイド面と金属製ガイドベースに当接させるガイド裏面とを備えた樹脂製シューが前記金属製ガイドベースに嵌着固定されている伝動装置用摺接ガイドにおいて、前記樹脂製シューの長手方向に沿って伸びる左右一対の第１リブと該左右一対の第１リブの間に相互に交差して斜め格子状に形成された複数の第２リブとが前記樹脂製シューのガイド裏面にそれぞれ一体成型されているとともに、前記第１リブのリブ幅が前記第２リブのリブ幅よりも大きくなっていることによって、前記目的を達成するものである。
そして、本請求項２に係る発明は、本請求項１にに係る発明の構成に加えて、前記金属製ガイドベースのベース中央穴部に係合して前記樹脂製シューの横方向の動きを規制するシュー側円柱リブが、前記第２リブの交差部の１つに突出形成されていることによって、前記目的をさらに達成するものである。
【０００７】
なお、本発明において樹脂製シューを構成する材質は、格別限定されるものではないが、チェーンとの接触摺動面がシューとしての機能も有しているため、耐摩耗性、潤滑性に優れたポリアミド系樹脂等のいわゆるエンジニアリングプラスチックが好ましい。
具体的には、ナイロン６、ナイロン６６、全芳香族ナイロンなどが挙げられる。
また、要求される曲げ強度等に応じて、繊維強化プラスチックを単独又は併用して用いることも可能である。
【０００８】
また金属製ガイドベースの材質も伝動装置用摺接ガイドに耐熱性及び強度を有するものであれば、特に限定されるものではないが、鋳鉄、ステンレス鋼等の鉄系金属、アルミニウム、マグネシウム、チタン等を主成分とする非鉄金属等が好ましい。
【発明の効果】
【０００９】
本請求項１に係る発明は、金属製ガイドベースに樹脂製シューが嵌着固定されている伝動装置用摺接ガイドにおいて、樹脂製シューは、走行するチェーンが接触摺動するガイド面と前記金属製ガイドベースに当接するガイド裏面を有しており、ガイド裏面には、長手方向に沿って形成された第１リブとこの第１リブの内側に斜め格子状に形成された第２リブを有し、第１リブのリブ幅を第２リブのリブ幅よりも大きくすることによって、長手方向に沿って形成された第１リブの存在により、熱収縮時に均等に冷却されるとともに、その内側に斜め格子状に形成された第２リブにより伝動装置用摺接ガイドに必要な強度を確保することができる。
さらに、第１リブのリブ幅を第２リブのリブ幅よりも大きく設定していることによって成型後の熱収縮による変形、すなわち、ヒケと反りを抑制することができる。
【００１０】
また、本発明によれば、樹脂製シューの成型後の熱収縮を抑制することができるため、設計の自由度が広がる。
また、完成品の寸法のバラツキが少なくなり製品の高品質化に寄与する。
また、熱収縮による変形、すなわち、ヒケと反りが抑制されることによって、チェーン走行面のヒケや反りが抑えられ、チェーンを安定して走行させることができるとともに、シュー摩耗量が減少し、樹脂製シューの長寿命化を図ることができる。
そして、本請求項２に係る発明は、本請求項１に係る発明が奏する効果に加えて、金属製ガイドベースのベース中央穴部に係合するシュー側円柱リブが第２リブの交差部の１つに突出形成されていることにより、金属製ガイドベースに対する脂製シューの横方向の動きを規制することができる。
【発明を実施するための最良の形態】
【００１１】
以下、本発明の実施の形態である一実施例を図１乃至図３に基づいて説明する。
図１は、本発明による伝動装置用摺接ガイドである可動ガイドＧａと固定ガイドＧｂを使用した伝動装置を示している。
ここで、可動ガイドＧａと固定ガイドＧｂは、その形状と固定方法が異なるだけで、本発明の特徴部分である樹脂製シューのガイド裏面の形状については、同じであるので、以下の説明においては、固定ガイドＧｂに基づいて説明する。
【００１２】
図２は、図１にＧｂとして示した固定ガイドの組立斜視図を示している。
なお、符号１５０で示した部材が金属製ガイドベースであり、取付ボルト用穴１５１、１５３を介して取付ボルトによって、エンジンの所定の位置に固定されている。
【００１３】
まず、本発明の一実施例である固定ガイドＧｂは、走行するチェーンＣＨを接触摺動させるガイド面１１０と金属製ガイドベース１５０に当接させるガイド裏面１２０とを備えた樹脂製シュー１００が金属製ガイドベース１５０に嵌着固定されている。
すなわち、樹脂製シュー１００は、図２及び図３に示すように、チェーンが摺接するガイド面１１０とガイド裏面１２０を有しており、ガイド裏面側に金属ガイドベース１５０のベース先端部１５２、ベース後端部１５６、ベース側部１５４、ベース中央穴部１５８とそれぞれ係合するシュー先端係合部１２２、シュー後端係合部１２６、シュー側部係合部１２４、シュー側円柱リブ１２８を有している。
【００１４】
そして、樹脂製シュー１００の長手方向に沿って伸びる左右一対の第１リブ１３０、１３０とこの左右一対の第１リブ１３０、１３０の間に相互に交差して斜め格子状に形成された複数の第２リブ１３２とが、樹脂製シュー１００のガイド裏面１２０にそれぞれ一体成型されている。
すなわち、ガイド裏面１２０には、樹脂製シュー１００の長手方向に沿って伸びる２本の第１リブ１３０とこれらの２本の第１リブ１３０の間に斜め格子状に形成された第２リブ１３２が形成されている。
格子の交点、すなわち、交差部の１つには、シュー側円柱リブ１２８が形成されており、このシュー側円柱リブ１２８が金属ガイドベース１５０に形成されたベース中央穴部１５８と係合することにより、樹脂製シュー１００の横方向の動きを規制することができる。
【００１５】
また、第１リブ１３０のリブ幅ｔ１は、第２リブ１３２のリブ幅ｔ２より大きくなるように形成されている。
このような構成にすることによって、成型後の熱収縮による変形、すなわち、ヒケと反りを抑制することができる。
【図面の簡単な説明】
【００１６】
【図１】本発明の伝動装置用摺接ガイドの設置例を示す平面図。
【図２】図１に示した固定ガイドの組立状態の斜視図。
【図３】本発明による固定ガイドのガイド裏面を示す斜視図。
【図４】従来の固定ガイドのガイド裏面を示す斜視図。
【符号の説明】
【００１７】
１００  ・・・  樹脂製シュー
１１０  ・・・  ガイド面
１２０  ・・・  ガイド裏面
１２２  ・・・  シュー先端係合部
１２４  ・・・  シュー側部傾向部
１２６  ・・・  シュー後端係合部
１２８  ・・・  シュー側円柱リブ
１５０  ・・・  金属製ガイドベース
１５１、１５３  ・・・  取付ボルト用穴
１５２  ・・・  ベース先端部
１５４  ・・・  ベース側部
１５６  ・・・  ベース後端部
１５８  ・・・  ベース中央穴部
Ｇａ  ・・・  可動ガイド
Ｇｂ  ・・・  固定ガイド
ＣＨ  ・・・  チェーン
Ｔ    ・・・  テンショナ
【図１】
0004381251.tif 000002
【図２】
0004381251.tif 000003
【図３】
0004381251.tif 000004
【図４】
0004381251.tif 000005